(57)【要約】【課題】  撮像素子駆動用の電子部品に加え、撮像素子の熱をも効率よく逃がせるようにする。【解決手段】  基板６の一方の面に実装される画像データ生成用の撮像素子３と、基板６の他方の面に実装される撮像素子駆動用の電子部品４と、基板６の他方の面側おいて、基板６との間に電子部品４を挟むように配置される第１の部分７Ａと、撮像素子との間に基板を挟むように配置される第２の部分とを一体に有する熱伝導部材と、撮像素子，電子部品および熱伝導部材を覆う外観カバーとを有し、撮像素子および電子部品の熱を熱伝導部材を介して外観カバーから放熱するよう構成する。【選択図】        図１
2005252547.tif 000002
【特許請求の範囲】
【請求項１】
基板の一方の面に実装される画像データ生成用の撮像素子と、
前記基板の他方の面に実装される撮像素子駆動用の電子部品と、
前記基板の他方の面側おいて、前記基板との間に電子部品を挟むように配置される第１の部分と、前記撮像素子との間に前記基板を挟むように配置される第２の部分とを一体に有する熱伝導部材と、
前記撮像素子，電子部品および熱伝導部材を覆う外観カバーとを有し、前記撮像素子および電子部品の熱を前記熱伝導部材を介して前記外観カバーから放熱するよう構成したことを特徴とするカメラ。
【請求項２】
前記熱伝導部材と前記外観カバーとの間に介装され、前記熱伝導部材から外観カバーに熱を導く放熱機構を有することを特徴とする請求項１に記載のカメラ。
【請求項３】
前記放熱機構は、２以上の金属製部材と、２つの金属製部材との間に挟まれる熱伝導性ゴム部材とを含むことを特徴とする請求項２に記載のカメラ。
【請求項４】
前記金属製部材は、画像または情報表示用のモニタ装置の筐体を含むことを特徴とする請求項３に記載のカメラ。
【発明の詳細な説明】
【技術分野】
【０００１】
本発明はデジタルスチルカメラなどの撮像素子を有するカメラ、特に熱対策を講じたものに関する。
【背景技術】
【０００２】
ＣＣＤ等の撮像素子を有するカメラとして、デジタルスチルカメラやビデオカメラ、テレビカメラなどがあり、これらのカメラはレンズの透過光束を撮像素子で受光し、その光電変換出力に基づいて静止画あるいは動画データを得る。近年では撮像素子の画素数の増大に伴って動作クロックが上がり、撮像素子やその周辺回路の発熱量が増大する傾向にある。熱はカメラ内の回路動作に悪影響を与えるとともに、いわゆる熱ノイズによる画質の低下をもたらすため、カメラには放熱構造が必要となる。特許文献１に記載されたカメラは、ＣＣＤ駆動用ＩＣから発した熱を放熱部材によりカメラ本体に伝導せしめることで、放熱効果を向上させている。
【０００３】
【特許文献１】実公平７−３６７３号公報
【発明の開示】
【発明が解決しようとする課題】
【０００４】
特許文献１の方法は、撮像素子駆動用のＩＣのみを発熱体として捕らえており、撮像素子そのものの放熱は考慮されていない。しかし、上述の如く画素数の増大に伴って撮像素子そのものの発熱量も無視できないほど大きくなっており、特許文献１の方法では放熱が不十分である。
【課題を解決するための手段】
【０００５】
本発明は、基板の一方の面に実装される画像データ生成用の撮像素子と、基板の他方の面に実装される撮像素子駆動用の電子部品と、基板の他方の面側おいて、基板との間に電子部品を挟むように配置される第１の部分と、撮像素子との間に基板を挟むように配置される第２の部分とを一体に有する熱伝導部材と、撮像素子，電子部品および熱伝導部材を覆う外観カバーとを有し、撮像素子および電子部品の熱を熱伝導部材を介して外観カバーから放熱するよう構成する。
特に請求項２の発明は、熱伝導部材と外観カバーとの間に介装され、熱伝導部材から外観カバーに熱を導く放熱機構を有するものである。
請求項３の発明は、上記放熱機構が、２以上の金属製部材と、２つの金属製部材との間に挟まれる熱伝導性ゴム部材とを含むものである。
請求項４の発明は、金属製部材が、画像または情報表示用のモニタ装置の筐体を含むものである。
【発明の効果】
【０００６】
本発明によれば、基板との間に撮像素子駆動用の電子部品を挟むように配置される第１の部分と、撮像素子との間に基板を挟むように配置される第２の部分とを一体に有する熱伝導部材を有し、撮像素子および電子部品の熱を熱伝導部材を介して外観カバーから放熱するようにしたので、簡単な構成で撮像素子およびその駆動用電子部品の熱を効率よく外部に放熱でき、熱による影響を防止できる。
【発明を実施するための最良の形態】
【０００７】
図面を参照して本発明の一実施の形態を説明する。
図１は本実施形態におけるデジタルスチルカメラの要部を示す平面断面図である。１はカメラ筐体を構成する金属製の外観カバーであり、外観カバー１で囲まれた空間には、レンズ２，撮像素子３，タイミングジェネレータ４，液晶モニタ５などが収容されている。撮像素子３は例えばＣＣＤやＣＭＯＳなどから構成され、レンズ２を透過した撮影光束を受光し、その受光量に応じた電気的画像信号を生成する。画像信号は不図示のＡ／Ｄコンバータでデジタル信号に変換され、種々の画像処理が施された後、画像データとしてメモリカードに記録される。タイミングジェネレータ４は、撮像素子３やＡ／Ｄコンバータの動作タイミングを制御する。液晶モニタ５はカメラ背面近くに設けられ、その画面上に撮影画像や種々の情報を表示する。
【０００８】
次に、カメラの放熱構造について説明する。
主な発熱体は撮像素子３およびタイミングジェネレータ４である。撮像素子３は、撮像基板６の前面（図示下面）に実装される一方、タイミングジェネレータ４は、同基板６の後面（図示上面）に撮像素子３と位置をずらして実装される。７は基板６の背後に設けられる熱伝導性ゴムシートである。ゴムシート７は一枚のシートで構成されるが、説明の都合上、右側部分を７Ａ、中央部分を７Ｂ、左側部分を７Ｃで表す。右側部分７Ａはタイミングジェネレータ４の上面に接触配置され、基板６との間にタイミングジェネレータ４を挟む形となる。他の部分７Ｂ，７Ｃは基板６の背面に近接して配置され、特に中央部分７Ｂは撮像素子３の裏面に位置し、撮像素子３との間に基板６を挟む形となる。
【０００９】
ゴムシート７の中央部分７Ｂおよび左側部分７Ｃの背面には、アルミ製の熱伝導板８が接触配置され、その上面に熱伝導性ゴム９が接触配置される。熱伝導性ゴム９は、ゴムシート７の左側部分７Ｃとの間に熱伝導板８を挟む位置にあり、撮像素子３とは横方向の位置をずらしてある。基板６の上方には、ステンレス製のフレーム１０を介して液晶モニタ５が配置され、フレーム１０の下面は上記熱伝導性ゴム９と接している。液晶モニタ５は、ステンレス製の筐体を持ち、液晶画面が外観カバー１の開口１ａから露出するよう配置され、その開口周縁部とモニタ上面との間には、開口１ａを囲むように熱伝導性ゴム１１が介装されている。
【００１０】
以上の構成において、カメラで撮影が行われると、撮像素子３およびタイミングジェネレータ４が発熱する。発熱量は、撮像素子３よりもタイミングジェネレータ４の方が大きい。タイミングジェネレータ４から発した熱は、ゴムシート７の右側部分７Ａから中央部分７Ｂ，左側部分７Ｃの順で伝わり、さらにアルミ熱伝導板８，熱伝導ゴム９，フレーム１０，液晶モニタ５の筐体（ステンレス製），熱伝導性ゴム１１を順に介して外観カバー１に伝わり、外観カバー１から外部に放熱される。また撮像素子３から発した熱は、ゴムシート７の中央部分７Ｂから左側部分７Ｃに伝わり、上述と同様の経路で外観カバー１から外部に放熱される。
【００１１】
このように本実施形態では、１枚の熱伝導性ゴムシート７を上記のように配置することで、タイミングジェネレータ４の熱をその上面から、また撮像素子３の熱をその裏面側からそれぞれアルミ熱伝導板８に導き、部材１０，５，１１を順に介して外観カバー１から放熱するようにしたので、簡単な構成で２つの発熱体３，４の熱を効率よく逃がすことができる。しかも、放熱部材として液晶モニタ５やそのフレーム１０を利用しているので、更なる部品点数の低減が図れる。また、金属部材の間に熱伝導性ゴムを配置しているため、各部材の密着度が高まり、接触面積を大きくして放熱効率をアップさせることができる。
【００１２】
なお、デジタルスチルカメラに限定されず、ビデオカメラやテレビカメラにも本発明を適用できる。
【図面の簡単な説明】
【００１３】
【図１】本発明の一実施形態におけるデジタルスチルカメラの放熱構造を示す図。
【符号の説明】
【００１４】
１  外観カバー
２  レンズ２
３  撮像素子
４  タイミングジェネレータ
５  液晶モニタ
６  撮像基板
７  熱伝導性ゴムシート
７Ａ〜７Ｃ  右側，中央，左側部分
８  アルミ製熱伝導板
９，１１  熱伝導性ゴム
１０  ステンレス製フレーム
【図１】
2005252547.tif 000003